(57)【特許請求の範囲】
【請求項１】
蛇口等に接続する流入路と、この流入路を噴水口に連通させる中継路とを設け、これら流入路と中継路との間に、両流路を連通させたりその連通を遮断したりするスプール弁を設けてなる散水ノズルの止水通水機構において、スプール弁のスプールには、３つの第１〜第３ランド部を設けるとともに、これら第１〜第３ランド部の受圧面の面積を全て等しくする一方、全閉時には、一方の端部に位置する第１ランド部と中央の第２ランド部とで中継流路の開口をまたいでそれをふさぎ、中央の第２ランド部と他方の端部に位置する第３ランド部とで流入路の開口をまたいでそれをふさぐ構成にし、かつ、全開時には、第１ランド部と第２ランド部とが流入路の開口と中継路の開口をまたいでそれら第１、２ランド部間に形成した環状溝を介して両開口を連通させるとともに、閉弁から全開への移行過程で、中央の第２ランド部が流入路の開口を通過する構成にした散水ノズルの止水通水機構。
【発明の詳細な説明】
【０００１】
【発明の属する技術分野】
この発明は、操作レバーの操作を軽くするための散水ノズルの止水通水機構に関する。
【０００２】
【従来の技術】
この種の止水通水機構として、実開平４−６５１５０号公報に記載されたものが、従来から知られているが、これを示したのが図２である。
この従来の機構は、ボディ本体ｂの後端にグリップｇを設ける一方、このボディ本体ｂの先端にヘッド本体ｈを設けている。
上記ヘッド本体ｈは、ボディ本体ｂと相対回転自在にするとともに、それら両者を相対回転して、ヘッド本体ｈから噴出される水形を、シャワー、ジョーロ、直射あるいは拡散等々に切り換えられるようにしている。
また、ボディ本体ｂとグリップｇとの境界部分には、スプール弁ｖを設けている。このスプール弁ｖは、そのスプール１に２つのランド部２、３を設けるとともに、これら両ランド部２、３間を環状溝４としている。
なお、図中符号５、６はランド部２、３の周囲にはめ付けたシールである。
【０００３】
そして、一方のランド部２の外方におけるスプール１の一端を外方に突出させるとともに、その突出端７を操作レバー８に接触させている。
また、他方のランド部３の外方におけるスプール１の他端には、スプリング９のバネ力を作用させている。
したがって、スプール弁ｖは、操作レバー８を回動させない限り、スプリング９の作用で、図示のノーマル位置を保つものである。スプール弁ｖが、ノーマル位置にあるときには、両ランド部２、３が、グリップｇに形成した流入路１０の開口１０ａをまたいでそれを閉じる。このとき、ボディ本体ｂ側に形成した中継路１１の開口１１ａは、他方のランド部３の外方に位置し、上記開口１０ａとの連通が遮断された状態を保つ。
【０００４】
このノーマル状態から、操作レバー８を回動すると、スプール１がスプリング９のバネ力に抗して移動し、他方のランド部３が後方開口スリットｓ側に位置する。したがって、両開口１０ａ及び１１ａが、環状溝４及びスリットｓを介して連通し、流入路１０に導入された圧力水を中継路１１に導く。
このとき、一方のランド部２の環状溝４側の側面には、圧力水の高圧が作用するが、操作レバー８側の面には圧力がまったく作用しない。そのために、このランド部２に対する作用力は、操作レバー８に抗する力となる。
また、他方のランド部３の両側面には、圧力水の高圧が作用するが、ランド部３の環状溝４側における受圧面積に対して、スプリング９側の受圧面積の方が、スプール１のシャフト部分の断面積分だけ大きくなる。
したがって、この場合も、他方のランド部３の両側面に対する作用力が、操作レバー８に抗する力となる。
【０００５】
【発明が解決しようとする課題】
上記のようにした従来の止水通水機構では、スプール弁を開いているとき、そのスプール１に作用する力が、操作レバー８に抗する力となるので、その開弁状態を維持するために、かなり大きな力を必要とする。そのために、長時間の継続使用時には、疲労を感じるという問題があった。
また、操作レバー８を操作するために、スプール１に対する作用力以上の力を必要とするということは、この操作レバー８の構造等の強度を十分に維持しなければならない。
この発明の目的は、操作レバーを操作するときも、それを開弁状態に維持するときにも、圧力水の圧力作用をまったく受けない止水通水機構を提供することである。
【０００６】
【課題を解決するための手段】
この発明は、蛇口等に接続する流入路と、この流入路を噴水口に連通させる中継路とを設け、これら流入路と中継路との間に、両流路を連通させたりその連通を遮断したりするスプール弁を設けてなる散水ノズルの止水通水機構を前提にする。
上記の機構を前提にしつつ、この発明は、スプール弁のスプールには、３つの第１〜第３ランド部を設けるとともに、これら第１〜第３ランド部の受圧面の面積を全て等しくする一方、閉弁時には、一方の端部に位置する第１ランド部と中央の第２ランド部とで中継流路の開口をまたいでそれをふさぎ、中央の第２ランド部と他方の端部に位置する第３ランド部とで流入路の開口をまたいでそれをふさぎ、全開時には、第１ランド部と第２ランド部とが流入路の開口と中継路の開口をまたいでそれら第１、２ランド部間に形成した環状溝を介して流入路及び中継路の両者を連通させるとともに、閉弁から全開への移行過程で、中央の第２ランド部が流入路の開口を通過する構成にした点に特徴を有する。
【０００７】
この発明は、上記のように構成したので、操作レバーを操作すれば、スプール弁のスプールが移動して流入路と中継路とを連通させたり、あるいはその連通を遮断したりする。
そして、スプールに形成した第１〜第３ランド部は、その受圧面積を全て等しくするとともに、一方の端部に設けた第１ランド部と中央に設けた第２ランド部、及びその第２ランド部と他方の端部に設けた第３ランド部とのそれぞれが、それらの圧力作用を全てキャンセルする。したがって、操作レバーには、圧力水の圧力の影響がなく、その分、操作力を軽くすることができる。
【０００８】
【発明の実施の形態】
図１に示した実施例は、そのスプール弁の構造を改良したもので、その他は従来と同様である。したがって、以下には、従来との相違点についてのみ詳細に説明し、従来と同一の構成要素については、同一符号を用いることにする。
スプール弁ｖは、そのスプール１の一方の端部（図面左端部）から順に、第１〜第３ランド部１２〜１４を設けている。そして、第１ランド部１２と第２ランド部１３との間に第１環状溝１５が形成され、第２ランド部１３と第３ランド部１４との間に第２環状溝１６が形成されている。
また、第１環状溝１５を挟んで互いに対向する第１、２ランド部１２、１３の受圧面積、及び第２環状溝１６を挟んで互いに対向する第２、３ランド部１３、１４の受圧面積をすべて等しくしている。
なお、図中符号１７〜１９は、各ランド部１２〜１４の周囲にはめたシールである。このシール１７、１９の機能で、第１ランド部１２の外側面及び第３ランド部１４の外側面に圧力が作用しないようにしている。また、シール１７〜１９で、全閉時に第１環状溝１５と第２環状溝１６とを遮蔽しする。
さらに、第３ランド部１４の外側は、外壁筒２０内に形成したスプリング室２１に臨ませているが、このスプリング室２１は、小孔２２を介して大気に解放している。
【０００９】
上記のようにしたスプール１は、それが図示のノーマル位置にあるとき、第１ランド部１２と第２ランド部１３とで中継路１１の開口１１ａをまたいでそれをふさぐ。また、第２ランド部１３と第３ランド部１４とで流入路１０の開口１０ａをまたいでそれをふさぐ。
このノーマル位置で、流入路１０に圧力水が導入されると、その圧力が第２環状溝１６側の第２、３ランド部１３、１４に作用する。しかし、この第２、３ランド部１３、１４の受圧面積が等しいので、両ランド１３、１４に対する圧力作用が全てキャンセルされ、スプール１を移動させる力は発生しない。
したがって、上記ノーマル状態から、操作レバー８を回動してスプール弁ｖを切り換えるときに、この操作レバー８に対する反力は、スプリング９のバネ力だけとなる。
【００１０】
次に、上記ノーマル状態から操作レバー８を回動すれば、スプール１がスプリング９に抗して図面右方向に移動する。このスプールの移動過程で、中央の第２ランド部１３が、流入路１０の開口１０ａ側に移動するとともに、その最大ストローク位置において、第２ランド部１３が開口１０ａを完全に通過する。そして、この最大ストローク位置においては、開口１０ａ及び１１ａが、第１ランド部１２と第２ランド部１３との間に位置するので、両開口１０ａ、１１ａが、第１環状溝１５を介して連通することになる。この時、第１、２ランド部１２、１３には、第１環状溝１５に導かれた圧力が作用するが、この第１環状溝１５側における第１、２ランド部の受圧面積が等しいので、その圧力作用は全てキャンセルされる。そして、第２環状溝１６は、流入路１０との連通が完全に遮断されるので、この第２環状溝１６側における第２、３ランド部１３、１４には、流入路１０側の圧力が作用しない。
【００１１】
したがって、上記フルストローク位置において、スプール１に対する圧力作用が全てキャンセルされることになり、操作レバー８に作用する力は、スプリング９のバネ力だけとなる。
また、スプール１が上記のフルストローク位置以前にある時には、第１、２環状溝１５、１６の両方に圧力水が導かれるが、第１、２環状溝１５、１６内における第１〜第３ランド部１２〜１４の受圧面積が等しいので、その圧力作用は全てキャンセルされる。したがって、この場合にも、操作レバー８に作用する力は、スプリング９のバネ力だけとなる。
上記のように、この実施例によれば、スプール１がどのような位置にあっても、そのスプール１に作用する力が、全てキャンセルされるので、操作レバー８に作用する力は、スプリング９のバネ力だけとなる。したがって、従来のように圧力水の圧力作用で、操作レバー８の操作力が左右されたりしない。
【００１２】
【発明の効果】
この発明の散水ノズルによれば、操作レバーに対する操作力を、スプリングのバネ力だけにできるので、それを長時間使っても、疲労感を感じない。また、握力が小さい子供などにも、簡単に使える。
さらに、操作レバーに作用する力が小さいので、それだけ、操作レバーやその取付け機構等の強度を上げなくてもよい。したがって、その分、コスト・ダウンを図ることができる。
【図面の簡単な説明】
【図１】この実施例の要部の断面図である。
【図２】従来の散水ノズルの止水通水機構の断面図である。
【符号の説明】
ｖ      スプール弁
１      スプール
１０    流入路
１１    中継路
１２    第１ランド部
１３    第２ランド部
１４    第３ランド部
【図１】
0003559841.tif 000002
【図２】
0003559841.tif 000003